(57)【特許請求の範囲】
【請求項１】
デジタル信号とアナログ信号との出入力切換を行うプレーヤシステムであって、
デジタル信号又はアナログ信号を出力するメモリオーディオプレーヤと、
前記デジタル信号又はアナログ信号を増幅出力するアンプスピーカとを備え、
前記メモリオーディオプレーヤは、
前記アンプスピーカ側でデコード可能なデジタルの第１音楽ファイルと前記アンプスピーカ側でデコード不可能なデジタルの第２音楽ファイルとを記憶する記憶手段と、
前記第１音楽ファイル又は前記第２音楽ファイルをデコードした信号を出力する音楽ファイル変換手段とを有し、
前記アンプスピーカは、
前記第１音楽ファイルのデータ信号又は前記第２音楽ファイルをデコードしたオーディオ信号のいずれかが出力されるように切り換えられる第１切換手段と、
該第１切換手段を介して得られる前記第１音楽ファイルのデータ信号がデコード可能か否かを判断し、デコード可能である場合は該信号をデコードしてアナログ信号を出力する信号変換手段と、
該信号変換手段からのアナログ信号又は前記第１切換手段を介して得られる前記第２音楽ファイルをメモリオーディオプレーヤ側のＵＳＢドライバでデコードした信号のいずれかが出力されるように切り換えられる第２切換手段と、
該第２切換手段を介して得られるいずれかの信号を増幅する増幅手段と、
前記信号変換手段による判断結果に応じて前記第１切換手段及び第２切換手段による切り換えを、前記第２音楽ファイルをメモリオーディオプレーヤ側でデコードした信号又は前記信号変換手段によりデコードされた信号が出力されるように制御する切換制御手段とを有する
ことを特徴とするプレーヤシステム。
【請求項２】
前記メモリオーディオプレーヤは、前記第２音楽ファイルの信号の出力を終了すると、該終了を前記切換制御手段に通知する通知手段を有し、
前記切換制御手段は、前記終了の通知に基づき、前記第１切換手段及び第２切換手段による切り換えを、前記第２音楽ファイルをメモリオーディオプレーヤ側でデコードした信号又は前記信号変換手段によりデコードされた信号が出力されるように制御する
ことを特徴とする請求項１に記載のプレーヤシステム。
【請求項３】
前記アンプスピーカは、
電源オン時に前記メモリオーディオプレーヤ側へ動作電圧を供給する供給ラインと、
該供給ラインに挿入され前記動作電圧の供給を断続する断続スイッチとを有し、
前記切換制御手段は、前記信号変換手段による判断結果に応じて前記断続スイッチを制御し、
前記メモリオーディオプレーヤは、
前記断続スイッチの切り換えに応じて前記音楽ファイル変換手段からの前記第１音楽ファイルのデータ信号又は前記第２音楽ファイルをデコードしたオーディオ信号のいずれかが出力されるように切り換えられる信号出力切換手段を有し、
前記音楽ファイル変換手段は、前記供給ラインの動作電圧の有無に応じて前記第１音楽ファイルをデコードせずデジタル信号まま出力するか又は前記第２音楽ファイルをデコードしさらにアナログ信号に変換して出力する
ことを特徴とする請求項１又は２に記載のプレーヤシステム。
【請求項４】
前記信号変換手段は、前記第１切換手段を介して得られる信号がデコード不可能と判断すると、前記音楽ファイル変換手段に前記第２音楽ファイルをデコードしさらにアナログ信号に変換して出力するように要求し、
前記音楽ファイル変換手段は、前記第２音楽ファイルの信号の出力を終了すると、該終了を前記信号変換手段に通知する
ことを特徴とする請求項１に記載のプレーヤシステム。
【請求項５】
メモリオーディオプレーヤ側からのデジタル信号とアナログ信号との入力切換を行うアンプスピーカであって、
メモリオーディオプレーヤ側から出力される、デコード可能な第１音楽ファイルのデータ信号又はデコード不可能な第２音楽ファイルのメモリオーディオプレーヤ側でデコードされたオーディオ信号のいずれかが出力されるように切り換えられる第１切換手段と、
該第１切換手段を介して得られる前記第１音楽ファイルのデータ信号がデコード可能か否かを判断し、デコード可能である場合は該信号をデコードしてアナログ信号を出力する信号変換手段と、
該信号変換手段からのアナログ信号又は前記第１切換手段を介して得られる前記第２音楽ファイルをメモリオーディオプレーヤ側のＵＳＢドライバでデコードした信号のいずれかが出力されるように切り換えられる第２切換手段と、
該第２切換手段を介して得られるいずれかの信号を増幅する増幅手段と、
前記信号変換手段による判断結果に応じて前記第１切換手段及び第２切換手段による切り換えを、前記第２音楽ファイルをメモリオーディオプレーヤ側でデコードした信号又は前記信号変換手段によりデコードされた信号が出力されるように制御する切換制御手段とを有する
ことを特徴とするアンプスピーカ。
【請求項６】
メモリオーディオプレーヤとアンプスピーカとの間で、デジタル信号とアナログ信号との出入力切換を行う信号出入力切換方法であって、
前記メモリオーディオプレーヤのＵＳＢドライバは、
前記アンプスピーカ側でデコード可能なデジタルの第１音楽ファイルと前記アンプスピーカ側でデコード不可能なデジタルの第２音楽ファイルとを記憶させるステップと、
前記第１音楽ファイルのデータ信号又は前記第２音楽ファイルをデコードしたオーディオ信号を出力するステップとを有し、
前記アンプスピーカのＵＳＢホストコントローラは、
前記第１音楽ファイルのデータ信号又は前記第２音楽ファイルをデコードしたオーディオ信号の第１入力経路と第２入力経路とを切り換えるステップと、
該第１入力経路を介して得られる信号がデコード可能か否かを判断し、デコード可能である場合は該信号をデコードしたアナログ信号を第３入力経路に出力するステップと、
該第３入力経路又は前記第２入力経路を介して得られる信号の入力経路を切り換えるステップと、
該切り換えにより得られるいずれかの信号を増幅するステップと、
前記デコード可能か否かの判断結果に応じて前記第１入力経路又は前記第２入力経路の切り換えと前記第３入力経路又は前記第２入力経路の切り換えとを制御するステップとを有する
ことを特徴とする信号出入力切換方法。
【請求項７】
前記メモリオーディオプレーヤのＵＳＢドライバは、前記第２音楽ファイルの信号の出力を終了すると、該終了を前記アンプスピーカ側に通知するステップを有し、
前記アンプスピーカのＵＳＢホストコントローラは、前記終了の通知に基づき、前記第１入力経路又は前記第２入力経路の切り換えと前記第３入力経路又は前記第２入力経路の切り換えとを制御するステップを有する
ことを特徴とする請求項６に記載の信号出入力切換方法。
【請求項８】
前記アンプスピーカのＵＳＢホストコントローラは、
電源オン時に前記メモリオーディオプレーヤ側へ動作電圧を供給するステップと、
前記動作電圧の供給を断続するステップとを有し、
前記メモリオーディオプレーヤのＵＳＢドライバは、
前記動作電圧の断続に応じて前記第１音楽ファイル又は前記第２音楽ファイルをデコードした信号の出力経路を切り換えるステップと、
該切り換えに対応して前記第１音楽ファイルをデコードしデジタル信号に変換するか又は前記第２音楽ファイルをデコードしさらにアナログ信号に変換して出力するステップとを有する
ことを特徴とする請求項６又は７に記載の信号出入力切換方法。
【請求項９】
前記アンプスピーカのＵＳＢホストコントローラは、前記信号がデコード不可能と判断すると、前記メモリオーディオプレーヤ側に前記第２音楽ファイルをデコードしさらにアナログ信号に変換して出力するように要求するステップを有し、
前記メモリオーディオプレーヤのＵＳＢドライバは、前記第２音楽ファイルの信号の出力を終了すると、該終了を前記アンプスピーカ側に通知するステップを有する
ことを特徴とする請求項６に記載の信号出入力切換方法。
【発明の詳細な説明】
【技術分野】
【０００１】
本発明は、デジタル信号とアナログ信号との出入力切換を行うプレーヤシステム、アンプスピーカ及び信号出入力切換方法に関する。
【背景技術】
【０００２】
近年、小型軽量のＵＳＢメモリオーディオプレーヤ（以下、メモリプレーヤという）が普及している。このメモリプレーヤでは、ＭＰ３等のデータ圧縮技術により、大量の音楽ファイル等を記録することができ、ヘッドホン等を使用することで、場所を選ばす手軽に音楽等を楽しめるようになっている。また、このようなメモリプレーヤでは、ヘッドホン等を用いない場合、アンプスピーカに接続することでも音楽等を楽しめるようになっている。
【０００３】
ここで、このようなメモリプレーヤからの音楽ファイルをアンプスピーカに接続し音声出力するプレーヤシステムの概要について、図７により説明する。同図において、メモリプレーヤ１０は、メモリ１１に記憶されている音楽ファイルがＵＳＢドライバ１２により、ＵＳＢコネクタ１３を介してアンプスピーカ２０側に出力されるようになっている。
【０００４】
アンプスピーカ２０は、ＵＳＢコネクタ２１及びデータライン２５を介して入力されたオーディオデータがＵＳＢホストコントローラ２２によりデコードされ、さらにアナログ信号に変換されると、オーディオアンプ２３により増幅されてスピーカ側に出力されるようになっている。なお、ＵＳＢコネクタ２１にメモリプレーヤ１０が接続されたことの認識は、Ｖバス１４とＶバス２４との間の＋５Ｖの電圧を検知することで行われる。
【０００５】
このようなプレーヤシステムでは、メモリプレーヤ１０とアンプスピーカ２０との接続構成が簡単であり、デジタルデータ転送によって音質劣化もなく、クリアーな音を楽しめる。
【０００６】
ところで、このような構成では、たとえばＤＲＭ（Ｄｉｇｉｔａｌ  Ｒｉｇｈｔｓ  Ｍａｎａｇｅｍｅｎｔ：デジタル著作権管理）等のセキュリティが施された音楽ファイルについてはデコード対応しているＵＳＢホストコントローラ２２が存在しないと、アンプスピーカ２０から音声出力することができない。
【０００７】
ここで、信号の入力切換を行うものとして、特許文献１では、コントローラ側からレンズ側へアナログ信号又はデジタル信号を送る際、該信号がアナログ形式であるかデジタル形式であるかを示す判別信号がレンズ側へ出力され、レンズ側ではその判別信号に基づき、切換スイッチの接点を切り換え、コントローラ側の各ラインの信号内容に適合した回路に制御信号を導くようにしたテレビカメラ用レンズ装置を提案している。
【特許文献１】特開平１０−０５６５８５号公報
【発明の開示】
【発明が解決しようとする課題】
【０００８】
上述した特許文献１のように、アナログ形式であるかデジタル形式であるかを示す判別信号に基づき、コントローラの信号内容に適合した回路に制御信号を導くことで、異なる仕様のコントローラの利用が可能となる。
【０００９】
ところで、このような方法を、上述したプレーヤシステムに適用しようとする場合、メモリプレーヤ１０のヘッドホン出力端子をアンプスピーカ２０の外部入力端子に接続し、メモリプレーヤ１０側にてデコード及びＤＡ変換してアナログ形式となった信号をアンプスピーカ２０のオーディオアンプ２３にて増幅出力するようにすればよいと考えられる。
【００１０】
また、アンプスピーカ２０側に、ＵＳＢコネクタ２１のデータライン２５をＵＳＢホストコントローラ２２に導く経路とオーディオアンプ２３に導く経路とに切り換える切換スイッチを設け、上記のセキュリティが施された音楽ファイルについてはＵＳＢホストコントローラ２２を介さずにオーディオアンプ２３に導くようにすればよいと考えられる。
【００１１】
さらに、メモリプレーヤ１０側では、上記のセキュリティが施された音楽ファイルをデコード及びＤＡ変換したアナログ信号の出力経路とアンプスピーカ２０のＵＳＢホストコントローラ２２対応のデジタル信号の出力経路との切り換えをアンプスピーカ２０側の切り換えに連動させればよいと考えられる。
【００１２】
ところが、このようにすると、メモリプレーヤ１０側からの出力である、アンプスピーカ２０側のＵＳＢホストコントローラ２２によるデコード可能な音楽ファイルと、デコード不可能なＤＲＭ等のセキュリティが施された音楽ファイルとの切り換えを、たとえばアンプスピーカ２０側の切換ボタンを操作して行わなければならず、その操作が煩雑となってしまうという問題があった。
【００１３】
しかも、メモリプレーヤ１０側のＵＳＢコネクタ１３とアンプスピーカ２０側のＵＳＢコネクタ２１との接続とは別に、メモリプレーヤ１０のヘッドホン出力端子とアンプスピーカ２０の外部入力端子とをコードによって接続する必要があり、そのコードの接続が煩雑となるばかりか、そのコードが露出してしまうため、見栄えも悪いものとなってしまうという問題があった。
【００１４】
本発明は、このような状況に鑑みてなされたものであり、上記問題点を解決することができるプレーヤシステム、アンプスピーカ及び信号出入力切換方法を提供することを目的とする。
【課題を解決するための手段】
【００１５】
本発明のプレーヤシステムは、デジタル信号とアナログ信号との出入力切換を行うプレーヤシステムであって、デジタル信号又はアナログ信号を出力するメモリオーディオプレーヤと、前記デジタル信号又はアナログ信号を増幅出力するアンプスピーカとを備え、前記メモリオーディオプレーヤは、前記アンプスピーカ側でデコード可能なデジタルの第１音楽ファイルと前記アンプスピーカ側でデコード不可能なデジタルの第２音楽ファイルとを記憶する記憶手段と、前記第１音楽ファイル又は前記第２音楽ファイルをデコードした信号を出力する音楽ファイル変換手段とを有し、前記アンプスピーカは、前記第１音楽ファイルのデータ信号又は前記第２音楽ファイルをデコードしたオーディオ信号のいずれかが出力されるように切り換えられる第１切換手段と、該第１切換手段を介して得られる前記第１音楽ファイルのデータ信号がデコード可能か否かを判断し、デコード可能である場合は該信号をデコードしてアナログ信号を出力する信号変換手段と、該信号変換手段からのアナログ信号又は前記第１切換手段を介して得られる前記第２音楽ファイルをメモリオーディオプレーヤ側のＵＳＢドライバでデコードした信号のいずれかが出力されるように切り換えられる第２切換手段と、該第２切換手段を介して得られるいずれかの信号を増幅する増幅手段と、前記信号変換手段による判断結果に応じて前記第１切換手段及び第２切換手段による切り換えを、前記第２音楽ファイルをメモリオーディオプレーヤ側でデコードした信号又は前記信号変換手段によりデコードされた信号が出力されるように制御する切換制御手段とを有することを特徴とする。
また、前記メモリオーディオプレーヤは、前記第２音楽ファイルの信号の出力を終了すると、該終了を前記切換制御手段に通知する通知手段を有し、前記切換制御手段は、前記終了の通知に基づき、前記第１切換手段及び第２切換手段による切り換えを、前記第２音楽ファイルをメモリオーディオプレーヤ側でデコードした信号又は前記信号変換手段によりデコードされた信号が出力されるように制御するようにすることができる。
また、前記アンプスピーカは、電源オン時に前記メモリオーディオプレーヤ側へ動作電圧を供給する供給ラインと、該供給ラインに挿入され前記動作電圧の供給を断続する断続スイッチとを有し、前記切換制御手段は、前記信号変換手段による判断結果に応じて前記断続スイッチを制御し、前記メモリオーディオプレーヤは、前記断続スイッチの切り換えに応じて前記音楽ファイル変換手段からの前記第１音楽ファイルのデータ信号又は前記第２音楽ファイルをデコードしたオーディオ信号のいずれかが出力されるように切り換えられる信号出力切換手段を有し、前記音楽ファイル変換手段は、前記供給ラインの動作電圧の有無に応じて前記第１音楽ファイルをデコードせずデジタル信号まま出力するか又は前記第２音楽ファイルをデコードしさらにアナログ信号に変換して出力するようにすることができる。
また、前記信号変換手段は、前記第１切換手段を介して得られる信号がデコード不可能と判断すると、前記音楽ファイル変換手段に前記第２音楽ファイルをデコードしさらにアナログ信号に変換して出力するように要求し、前記音楽ファイル変換手段は、前記第２音楽ファイルの信号の出力を終了すると、該終了を前記信号変換手段に通知するようにすることができる。
本発明のアンプスピーカは、メモリオーディオプレーヤ側からのデジタル信号とアナログ信号との入力切換を行うアンプスピーカであって、メモリオーディオプレーヤ側から出力される、デコード可能な第１音楽ファイルのデータ信号又はデコード不可能な第２音楽ファイルのメモリオーディオプレーヤ側でデコードされたオーディオ信号のいずれかが出力されるように切り換えられる第１切換手段と、該第１切換手段を介して得られる前記第１音楽ファイルのデータ信号がデコード可能か否かを判断し、デコード可能である場合は該信号をデコードしてアナログ信号を出力する信号変換手段と、該信号変換手段からのアナログ信号又は前記第１切換手段を介して得られる前記第２音楽ファイルをメモリオーディオプレーヤ側のＵＳＢドライバでデコードした信号のいずれかが出力されるように切り換えられる第２切換手段と、該第２切換手段を介して得られるいずれかの信号を増幅する増幅手段と、前記信号変換手段による判断結果に応じて前記第１切換手段及び第２切換手段による切り換えを、前記第２音楽ファイルをメモリオーディオプレーヤ側でデコードした信号又は前記信号変換手段によりデコードされた信号が出力されるように制御する切換制御手段とを有することを特徴とする。
本発明の信号出入力切換方法は、メモリオーディオプレーヤとアンプスピーカとの間で、デジタル信号とアナログ信号との出入力切換を行う信号出入力切換方法であって、前記メモリオーディオプレーヤのＵＳＢドライバは、前記アンプスピーカ側でデコード可能なデジタルの第１音楽ファイルと前記アンプスピーカ側でデコード不可能なデジタルの第２音楽ファイルとを記憶させるステップと、前記第１音楽ファイルのデータ信号又は前記第２音楽ファイルをデコードしたオーディオ信号を出力するステップとを有し、前記アンプスピーカのＵＳＢホストコントローラは、前記第１音楽ファイルのデータ信号又は前記第２音楽ファイルをデコードしたオーディオ信号の第１入力経路と第２入力経路とを切り換えるステップと、該第１入力経路を介して得られる信号がデコード可能か否かを判断し、デコード可能である場合は該信号をデコードしたアナログ信号を第３入力経路に出力するステップと、該第３入力経路又は前記第２入力経路を介して得られる信号の入力経路を切り換えるステップと、該切り換えにより得られるいずれかの信号を増幅するステップと、
前記デコード可能か否かの判断結果に応じて前記第１入力経路又は前記第２入力経路の切り換えと前記第３入力経路又は前記第２入力経路の切り換えとを制御するステップとを有することを特徴とする。
また、前記メモリオーディオプレーヤのＵＳＢドライバは、前記第２音楽ファイルの信号の出力を終了すると、該終了を前記アンプスピーカ側に通知するステップを有し、前記アンプスピーカのＵＳＢホストコントローラは、前記終了の通知に基づき、前記第１入力経路又は前記第２入力経路の切り換えと前記第３入力経路又は前記第２入力経路の切り換えとを制御するステップを有するようにすることができる。
また、前記アンプスピーカのＵＳＢホストコントローラは、電源オン時に前記メモリオーディオプレーヤ側へ動作電圧を供給するステップと、前記動作電圧の供給を断続するステップとを有し、前記メモリオーディオプレーヤのＵＳＢドライバは、前記動作電圧の断続に応じて前記第１音楽ファイル又は前記第２音楽ファイルをデコードした信号の出力経路を切り換えるステップと、該切り換えに対応して前記第１音楽ファイルをデコードしデジタル信号に変換するか又は前記第２音楽ファイルをデコードしさらにアナログ信号に変換して出力するステップとを有するようにすることができる。
また、前記アンプスピーカのＵＳＢホストコントローラは、前記信号がデコード不可能と判断すると、前記メモリオーディオプレーヤ側に前記第２音楽ファイルをデコードしさらにアナログ信号に変換して出力するように要求するステップを有し、前記メモリオーディオプレーヤのＵＳＢドライバは、前記第２音楽ファイルの信号の出力を終了すると、該終了を前記アンプスピーカ側に通知するステップを有するようにすることができる。
本発明のプレーヤシステム、アンプスピーカ及び信号出入力切換方法では、アンプスピーカ側で、メモリオーディオプレーヤ側からの第１音楽ファイル又は第２音楽ファイルのデコードした信号がデコード可能か否かが判断され、デコード可能である場合はその信号がデコードによりアナログ信号として増幅出力され、デコード不可能である場合は、第１入力経路又は第２入力経路の切り換えと第３入力経路又は第２入力経路の切り換えとが行われ、メモリオーディオプレーヤ側からのアナログ信号が増幅出力される。これにより、メモリオーディオプレーヤとアンプスピーカとの間での第１音楽ファイル又は第２音楽ファイルの信号出入力の切り換えに伴う手動操作が不要となる。
【発明の効果】
【００１６】
本発明のプレーヤシステム、アンプスピーカ及び信号出入力切換方法によれば、メモリオーディオプレーヤとアンプスピーカとの間での第１音楽ファイル又は第２音楽ファイルの信号出入力の切り換えに伴う手動操作が不要となるので、第１音楽ファイル又は第２音楽ファイルの信号出入力の切り換えを容易に行うことができ、しかもメモリオーディオプレーヤのヘッドホン出力端子とアンプスピーカの外部入力端子とのコードの接続が不要となり、アンプスピーカへのメモリプレーヤの接続を見栄えよく行うことができる。
【発明を実施するための最良の形態】
【００１７】
本実施形態では、アンプスピーカ側の信号変換手段により、メモリオーディオプレーヤ側からの第１音楽ファイル又は第２音楽ファイルがデコード可能か否かを判断し、デコード可能である場合はその信号がデコードされてアナログ信号として増幅出力され、デコード不可能である場合は、アンプスピーカ側の切換制御手段により、第１入力経路又は第２入力経路の切り換えと第３入力経路又は第２入力経路の切り換えとが行われ、メモリオーディオプレーヤ側からのアナログ信号が増幅出力されるようにすることで、メモリオーディオプレーヤとアンプスピーカとの間での第１音楽ファイル又は第２音楽ファイルの信号出入力の切り換えに伴う手動操作を不要とし、第１音楽ファイル又は第２音楽ファイルの信号出入力の切り換えを容易に行うとともに、メモリオーディオプレーヤのヘッドホン出力端子とアンプスピーカの外部入力端子とのコードの接続を不要とし、アンプスピーカへのメモリプレーヤの接続を見栄えよく行うようにした。
【実施例】
【００１８】
以下、本発明の実施例の詳細について説明する。
【００１９】
（実施例１）
図１は、本発明のプレーヤシステムの実施例１を説明するための図である。なお、以下に示す図においては、デジタル信号の通信に用いられる差動信号の±の信号及びアナログ信号のそれぞれの左右の信号を、説明の都合上、一方の信号のみで説明するものとする。
【００２０】
図１に示すように、プレーヤシステムは、ＵＳＢメモリオーディオプレーヤ（以下、メモリプレーヤという）３０とアンプスピーカ４０とを備えている。
【００２１】
メモリプレーヤ３０は、メモリ３１、ＵＳＢドライバ３２、ＵＳＢ側切換スイッチ３３、ＵＳＢコネクタ３４、信号出力終了伝達スイッチ３７を備えている。
【００２２】
メモリ３１には、後述のアンプスピーカ４０側のＵＳＢホストコントローラ４３でデコード可能な第１音声ファイルとしての音楽ファイルや、たとえばＤＲＭ（Ｄｉｇｉｔａｌ  Ｒｉｇｈｔｓ  Ｍａｎａｇｅｍｅｎｔ：デジタル著作権管理）等のセキュリティが施され、ＵＳＢホストコントローラ４３でデコード不可能な第２音声ファイルとしての音楽ファイルが記憶される。なお、これらの音楽ファイルは、ＭＰ３等のデータ圧縮技術により符号化されたものである。また、ＤＲＭ等のセキュリティが施された音楽ファイルであっても、ＵＳＢホストコントローラ４３側でデコード可能である場合は、第１音声ファイルとなる。
【００２３】
ＵＳＢドライバ３２は、上記の各音楽ファイルのデコード等を行い、ＵＳＢホストコントローラ４３でデコード不可能な第２音楽ファイルについてはアナログ信号にＤＡ変換して出力し、ＵＳＢホストコントローラ４３でデコード可能な第１音楽ファイルについてはファイルデータをデジタル信号で出力する。
【００２４】
なお、ＵＳＢドライバ３２は、上述したＵＳＢホストコントローラ４３でデコード不可能な第２音楽ファイルと、ＵＳＢホストコントローラ４３でデコード可能な音楽ファイルの判別を、Ｖバス３６に接続されるライン３６ｂを介してＶバス供給の有無を検知して行うようになっている。また、ＵＳＢドライバ３２は、ＵＳＢホストコントローラ４３でデコード不可能な第２音楽ファイルのアナログ信号の出力終了時に信号出力終了伝達スイッチ３７を制御するようになっている。
【００２５】
ＵＳＢ側切換スイッチ３３は、Ｖバス３６に、アンプスピーカ４０側の後述のＶバス４６からの＋５Ｖの電圧が印加されたことがライン３６ａを介して検知されると”Ｂ”側に切り換えられ、Ｖバス３６に、Ｖバス４６からの＋５Ｖの電圧が印加されないことがライン３６ａを介して検知されると”Ａ”側に切り換えられる。
【００２６】
すなわち、ＵＳＢ側切換スイッチ３３は、アンプスピーカ４０側の電源がオフされるか、メモリプレーヤ３０のＵＳＢコネクタ３４がアンプスピーカ４０側の後述のＵＳＢコネクタ４１から外されているか、又はＶバス切換スイッチ５０がオフになっている場合に”Ａ”側に切り換えられることになるが、その詳細については後述する。
【００２７】
ＵＳＢドライバ３２とＵＳＢ側切換スイッチ３３との間には、ＤＣカット用のカップリングコンデンサ３５が挿入されているアナログのオーディオ信号ライン３５ａと、デジタルのオーディオ信号ライン３５ｂとが接続されており、ＵＳＢ側切換スイッチ３３が”Ａ”又は”Ｂ”に切り換えられることで、いずれかの信号が出力ライン３５ｃに出力されるようになっている。ここで、オーディオ信号ライン３５ａにＤＣカット用のカップリングコンデンサ３５が挿入されていることで、中間電位の印加によるＵＳＢホストコントローラ４３のラッチアップが防げるようになっている。
【００２８】
ＵＳＢコネクタ３４は、後述のアンプスピーカ４０側のＵＳＢコネクタ４１に接続されるものであり、Ｖバス端子３４ａ、信号出力端子３４ｂ、ＧＮＤ端子３４ｃを有している。Ｖバス端子３４ａにはＶバス３６が接続され、信号出力端子３４ｂには出力ライン３５ｃが接続され、ＧＮＤ端子３４ｃにはＧＮＤライン３５ｄが接続されている。
【００２９】
信号出力終了伝達スイッチ３７の一方の端子は、Ｖバス３６に接続されている。また、信号出力終了伝達スイッチ３７の他方の端子は、電源電圧（Ｖｃｃ）が接続されている。また、信号出力終了伝達スイッチ３７は、常時開放されており、ＵＳＢドライバ３２により、ライン３６ｃを介し上述した第２音楽ファイルのアナログ信号の出力終了時に一瞬だけ閉じられるように制御される。これにより、後述のアンプスピーカ４０側に対して電源電圧（Ｖｃｃ）に基づいた信号出力終了を示すパルスが送出され、切換制御部４９が第２音声ファイルの信号出力終了を認識し、切換制御が行われる。
【００３０】
アンプスピーカ４０は、ＵＳＢコネクタ４１、第１信号入力切換スイッチ４２、ＵＳＢホストコントローラ４３、第２信号入力切換スイッチ４４、オーディオアンプ４５、切換制御部４９を備えている。
【００３１】
ＵＳＢコネクタ４１は、メモリプレーヤ３０側のＵＳＢコネクタ３４が接続される部位であり、Ｖバス端子４１ａ、信号出力端子４１ｂ、ＧＮＤ端子４１ｃを有している。Ｖバス端子４１ａにはＶバス４６が接続され、信号出力端子４１ｂには入力信号ライン４７ａが接続され、ＧＮＤ端子４１ｃにはＧＮＤライン４７ｂが接続されている。
【００３２】
第１信号入力切換スイッチ４２は、切換制御部４９により、”Ｂ”側又は”Ａ”側に切り換えられるようになっている。
【００３３】
ＵＳＢホストコントローラ４３は、デジタルのオーディオ信号ライン４７ｃを介して第１信号入力切換スイッチ４２に接続されている。ＵＳＢホストコントローラ４３は、ＵＳＢコネクタ４１及び第１信号入力切換スイッチ４２を介して入力されたデジタルのオーディオ信号をデコードし、さらにそのデコードしたデータをＤＡ変換によってアナログ信号にするものである。
【００３４】
なお、ＵＳＢホストコントローラ４３は、ＵＳＢコネクタ４１及び第１信号入力切換スイッチ４２を介して入力されたデジタルのオーディオ信号が上述したようにＤＲＭ等のセキュリティが施されていてデコード不可能である場合は切換制御部４９にデコード不可能であることを通知する。
【００３５】
第２信号入力切換スイッチ４４は、切換制御部４９により、第１信号入力切換スイッチ４２の切り換えに連動し、”Ａ”又は”Ｂ”に切り換えられる。また、第２信号入力切換スイッチ４４には、上述したオーディオ信号ライン４７ｄと、ＵＳＢホストコントローラ４３からのアナログのオーディオ信号ライン４７ｅとが接続されており、第２信号入力切換スイッチ４４が”Ａ”又は”Ｂ”に切り換えられることでいずれかの信号がコンデンサ４８を介して入力ライン４７ｆに入力されるようになっている。
【００３６】
なお、第１信号入力切換スイッチ４２からオーディオ信号ライン４７ｃの入力経路は第１入力経路であり、オーディオ信号ライン４７ｄの入力経路は第２入力経路であり、ＵＳＢホストコントローラ４３からのオーディオ信号ライン４７ｅは第３入力経路である。
【００３７】
オーディオアンプ４５は、第２信号入力切換スイッチ４４を介して入力されるアナログ信号を増幅してスピーカ側に出力する。
【００３８】
Ｖバス４６には、メモリプレーヤ３０側への動作電圧である上述した＋５Ｖの供給を断続するＶバス切換スイッチ５０が挿入されている。このＶバス切換スイッチ５０は、アンプスピーカ４０側の電源がオンのとき切換制御部４９により”Ａ”側又は”Ｂ”側に切り換え制御され、電源がオフのとき”Ａ”側に切り換えられる。また、このＶバス切換スイッチ５０は、切換制御部４９により、第１信号入力切換スイッチ４２及び第２信号入力切換スイッチ４４の切り換えに連動して切り換えられる
【００３９】
ここで、Ｖバス切換スイッチ５０が”Ａ”側にあるとき、プルダウン抵抗４６ａにより、メモリプレーヤ３０側のＶバス３６を介して検知される電圧が０Ｖとなり、Ｖバス切換スイッチ５０が”Ｂ”側にあるとき、メモリプレーヤ３０側のＶバス３６を介して検知される電圧が＋５Ｖとなる。
【００４０】
これらの電圧を検知することで、上述したメモリプレーヤ３０側のＵＳＢ側切換スイッチ３３がＶバス切換スイッチ５０の切り換えに連動し、”Ｂ”側又は”Ａ”側に切り換えられるとともに、ＵＳＢドライバ３２による上述したＵＳＢホストコントローラ４３でデコード不可能な第２音楽ファイルをデコードしての出力、あるいはＵＳＢホストコントローラ４３でデコード可能な第１音楽ファイルのデジタルデータでの出力のいずれかを行うことができる。
【００４１】
切換制御部４９は、電源のオン／オフ、ＵＳＢホストコントローラ４３からのデコード不可能であることの通知、又は上述したメモリプレーヤ３０側の信号出力終了伝達スイッチ３７からのパルスに応じて、第１信号入力切換スイッチ４２、第２信号入力切換スイッチ４４及びＶバス切換スイッチ５０を”Ｂ”側又は”Ａ”側に切り換える。
【００４２】
次に、信号出入力切換方法について説明する。まず、メモリプレーヤ３０側のＵＳＢ側切換スイッチ３３と、アンプスピーカ４０側の第１信号入力切換スイッチ４２、第２信号入力切換スイッチ４４及びＶバス切換スイッチ５０とは、いずれも”Ａ”側にあるものとする。
【００４３】
ここで、図２に示すように、メモリプレーヤ３０のＵＳＢコネクタ３４をアンプスピーカ４０のＵＳＢコネクタ４１に接続する（ステップＳ１）。このとき、アンプスピーカ４０の電源がオフの状態では、ＵＳＢ側切換スイッチ３３が”Ａ”側に切り換えられたままである。
【００４４】
この状態で、アンプスピーカ４０側の電源がオンされると（ステップＳ２）、切換制御部４９によりＶバス切換スイッチ５０が”Ｂ”側に切り換えられ（ステップＳ３）、これに連動し、切換制御部４９により第１信号入力切換スイッチ４２及び第２信号入力切換スイッチ４４が”Ｂ”側に切り換えられる（ステップＳ４）。
【００４５】
このとき、メモリプレーヤ３０側では、Ｖバス３６を介してＶバス供給有りが検知されることで（ステップＳ５）、ＵＳＢ側切換スイッチ３３が”Ｂ”側に切り換えられる（ステップＳ６）。これにより、メモリプレーヤ３０側からのデジタル信号がオーディオ信号ライン３５ｂ、ＵＳＢ側切換スイッチ３３及び出力ライン３５ｃを介してアンプスピーカ４０側に出力される（ステップＳ７）。
【００４６】
アンプスピーカ４０側では、入力信号ライン４７ａにメモリプレーヤ３０側からのデジタル信号が入力され、さらにそのデジタル信号が第１信号入力切換スイッチ４２及びオーディオ信号ライン４７ｃを介してＵＳＢホストコントローラ４３に取り込まれると、ＵＳＢホストコントローラ４３によりデコード可能か否かが判断される（ステップＳ８）。
【００４７】
ここで、デコード可能と判断されると、ＵＳＢホストコントローラ４３により、メモリプレーヤ３０側からのデジタルのオーディオ信号がデコードされ、さらにＤＡ変換によってアナログ信号にされ（ステップＳ９）、オーディオ信号ライン４７ｅ、第２信号入力切換スイッチ４４、コンデンサ４８、及び入力ライン４７ｆを介しオーディオアンプ４５に出力される。そして、オーディオアンプ４５により、ＵＳＢホストコントローラ４３によってＤＡ変換されたアナログ信号が増幅され、スピーカ側に出力される（ステップＳ１０）。
【００４８】
これに対し、（ステップＳ８）にてデコード不可能と判断されると、ＵＳＢホストコントローラ４３からの通知を受けた切換制御部４９により第１信号入力切換スイッチ４２、第２信号入力切換スイッチ４４及びＶバス切換スイッチ５０が”Ａ”側に切り換えられる（ステップＳ１１）。
【００４９】
このとき、メモリプレーヤ３０側では、Ｖバス３６を介してＶバス供給無しが検知されることで（ステップＳ１２）、ＵＳＢ側切換スイッチ３３が”Ａ”側に切り換えられる（ステップＳ１３）。また、ＵＳＢドライバ３２がＶバス供給無しをライン３６ｂを介して検知することで、上述したＵＳＢホストコントローラ４３でデコード不可能な第２音楽ファイルをデコードしさらにＤＡ変換したアナログ信号をカップリングコンデンサ３５、オーディオ信号ライン３５ａ、ＵＳＢ側切換スイッチ３３を介してアンプスピーカ４０側に出力する（ステップＳ１４）。
【００５０】
アンプスピーカ４０側では、そのアナログのオーディオ信号が入力信号ライン４７ａ、第１信号入力切換スイッチ４２、オーディオ信号ライン４７ｄに入力され、さらに第２信号入力切換スイッチ４４及び入力ライン４７ｆを介してオーディオアンプ４５に取り込まれる。そして、オーディオアンプ４５により、アナログ信号が増幅され、スピーカ側に出力される（ステップＳ１５）。
【００５１】
ここで、メモリプレーヤ３０側からアンプスピーカ４０側への上述したＵＳＢホストコントローラ４３でデコード不可能な第２音楽ファイルのアナログのオーディオ信号の１曲分の出力が終了すると、ＵＳＢドライバ３２により信号出力終了伝達スイッチ３７が一瞬だけ閉じられる。これにより、アンプスピーカ４０側に対して電源電圧（Ｖｃｃ）に基づいた信号出力終了を示すパルスが送出され、切換制御部４９がそのパルスを検知することで信号出力終了が判別される（ステップＳ１６）。
【００５２】
そして、信号出力終了が判別されると、ステップＳ６に戻り、切換制御部４９により第１信号入力切換スイッチ４２、第２信号入力切換スイッチ４４及びＶバス切換スイッチ５０が”Ｂ”側に切り換えられ、以降上記同様の手順が再生終了（ステップＳ１７）となるまで繰り返される。
【００５３】
このように、実施例１では、アンプスピーカ４０側の信号変換手段としてのＵＳＢホストコントローラ４３により、メモリプレーヤ３０側からの第１音楽ファイル又は第２音楽ファイルがデコード可能か否かを判断し、デコード可能である場合はその信号がＵＳＢホストコントローラ４３によりデコードされ、さらにアナログ信号として増幅出力される。また、デコード不可能である場合は、アンプスピーカ４０側の切換制御手段としての切換制御部４９により、第１信号入力切換スイッチ４２、第２信号入力切換スイッチ４４及びＶバス切換スイッチ５０を切り換え、メモリプレーヤ３０側からのアナログ信号が増幅出力される。
【００５４】
これにより、メモリオーディオプレーヤ３０とアンプスピーカ４０との間での第１音楽ファイル又は第２音楽ファイルの信号出入力の切り換えに伴う手動操作を不要とし、第１音楽ファイル又は第２音楽ファイルの信号出入力の切り換えを容易に行うことができ、しかもメモリオーディオプレーヤのヘッドホン出力端子とアンプスピーカの外部入力端子とのコードの接続を不要とし、アンプスピーカへのメモリプレーヤの接続を見栄えよく行うことができる。
【００５５】
また、本実施例では、Ｖバス切換スイッチ５０の切り換えに連動し、メモリプレーヤ３０側のＵＳＢ側切換スイッチ３３が”Ｂ”側又は”Ａ”側に切り換えられるようにしたので、メモリプレーヤ３０側からのデジタル信号又はアナログ信号の信号出入力切換を、アンプスピーカ４０側からの指示で行うことができる。
【００５６】
（実施例２）
図３は、図１のプレーヤシステムの構成を変えた場合の実施例２を説明するための図である。なお、以下に説明する図において、図１と共通する部分については同一符号を付し重複する説明については適宜行うものとする。
【００５７】
実施例２では、図３に示すように、バイアス回路５１が追加されている。このバイアス回路５１は、Ｖバス４６とオーディオ信号ライン４７ｄとの間に挿入され、メモリプレーヤ３０側からのアナログ信号に対し、所定の直流成分（ここでは＋２．５Ｖ）を加えるものである。
【００５８】
このような構成では、実施例１と同様に、アンプスピーカ４０側のＵＳＢホストコントローラ４３でデコード可能な音楽ファイルや、そのＵＳＢホストコントローラ４３でデコード不可能な第２音楽ファイルが再生される毎に、切換制御部４９によりアンプスピーカ４０側の第１信号入力切換スイッチ４２、第２信号入力切換スイッチ４４及びＶバス切換スイッチ５０が切り換えられるとともに、メモリプレーヤ３０側のＵＳＢ側切換スイッチ３３が連動して切り換えられる。
【００５９】
また、第１信号入力切換スイッチ４２及び第２信号入力切換スイッチ４４を通過する上述したオーディオ信号が、第１信号入力切換スイッチ４２及び第２信号入力切換スイッチ４４の電源電圧範囲外とならないようにバイアスが加えられるため、上述した各スイッチの切り換えに併せ、オーディオアンプ４５によって増幅出力されるオーディオ信号の歪みを解消することができる。
【００６０】
（実施例３）
図４は、図１のプレーヤシステムの構成を変えた場合の実施例３を説明するための図である。実施例３では、図４に示すように、上述したアンプスピーカ４０側のＶバス切換スイッチ５０が省かれている。また、実施例３では、図４に示すように、信号出力終了伝達スイッチ３７に代えてＶバス切換スイッチ３７ａが設けられている。また、図中符号３６ｄはアース接地された抵抗である。
【００６１】
また、メモリプレーヤ３０側のＵＳＢドライバ３２とＵＳＢコネクタ３４のデータ端子３４ｄとの間にデータライン３５ｅが接続され、アンプスピーカ４０側のＵＳＢホストコントローラ４３とＵＳＢコネクタ４１のデータ端子４１ｄとの間にデータライン４７ｇが接続されている。
【００６２】
これらのデータライン３５ｅ，４７ｇが接続されることで、ＵＳＢドライバ３２とＵＳＢホストコントローラ４３との間でのデータのやり取りが行われる。ここで、ＵＳＢドライバ３２からＵＳＢホストコントローラ４３に送出されるデータとしては、上述した第２音楽ファイルのアナログ信号の出力終了を示す終了データがある。ＵＳＢホストコントローラ４３がその終了データを受け取ることで、上述したように、”Ａ”側に切り換えられている第１信号入力切換スイッチ４２及び第２信号入力切換スイッチ４４を”Ｂ”側に切り換えることができる。
【００６３】
一方、ＵＳＢホストコントローラ４３からＵＳＢドライバ３２に送出されるデータとして、スイッチ切換データがある。このスイッチ切換データは、ＵＳＢホストコントローラ４３が切換制御部４９にデコード不可能であることの通知に併せて送出されるものである。
【００６４】
ここで、ＵＳＢドライバ３２は、Ｖバス３６からのＶバス供給の有無をライン３６ｂを介して検知し、Ｖバス供給がある場合はＶバス切換スイッチ３７ａをライン３６ｃを介して”ｂ”側に切り換える。これにより、ＵＳＢ側切換スイッチ３３は、”Ｂ”側に切り換えられる。
【００６５】
また、ＵＳＢドライバ３２は、ＵＳＢホストコントローラ４３からのスイッチ切換データを受け取ることで、Ｖバス切換スイッチ３７ａをライン３６ｃを介して”ａ”側に切り換える。これにより、アース接地されている抵抗３６ｄにより、ＵＳＢ側切換スイッチ３３は、電圧０を検知することで、”Ａ”側に切り換えられる。
【００６６】
次に、信号出入力切換方法について説明する。まず、メモリプレーヤ３０は、上記同様に、アンプスピーカ４０から切り離された状態では、ＵＳＢ側切換スイッチ３３が”Ａ”側に切り換えられているものとする。
【００６７】
ここで、図５に示すように、メモリプレーヤ３０のＵＳＢコネクタ３４をアンプスピーカ４０のＵＳＢコネクタ４１に接続する（ステップＳ２０）。このとき、アンプスピーカ４０の電源がオフの状態では、ＵＳＢ側切換スイッチ３３が”Ａ”側に切り換えられたままである。
【００６８】
この状態で、アンプスピーカ４０側の電源がオンされると（ステップＳ２１）、アンプスピーカ４０側では切換制御部４９により第１信号入力切換スイッチ４２及び第２信号入力切換スイッチ４４が”Ｂ”側に切り換えられる（ステップＳ２２）。このとき、メモリプレーヤ３０側ではＵＳＢドライバ３２によってＶバス供給有りが検知されることで（ステップＳ２３）、Ｖバス切換スイッチ３７ａが”ｂ”側に切り換えらるれと、ＵＳＢ側切換スイッチ３３が”Ｂ”側に切り換えられる（ステップＳ２４）。これにより、メモリプレーヤ３０側では、デジタル信号がオーディオ信号ライン３５ｂ、ＵＳＢ側切換スイッチ３３及び出力ライン３５ｃを介してアンプスピーカ４０側に出力される（ステップＳ２５）。
【００６９】
アンプスピーカ４０側では、入力信号ライン４７ａにメモリプレーヤ３０側からのデジタル信号が入力され、さらにそのデジタル信号が第１信号入力切換スイッチ４２及びオーディオ信号ライン４７ｃを介してＵＳＢホストコントローラ４３に取り込まれると、ＵＳＢホストコントローラ４３によりデコード可能か否かが判断される（ステップＳ２６）。
【００７０】
ここで、デコード可能と判断されると、ＵＳＢホストコントローラ４３により、メモリプレーヤ３０側からのデジタルのオーディオ信号がデコードされ、さらにＤＡ変換によってアナログ信号にされ（ステップＳ２７）、オーディオ信号ライン４７ｅ、第２信号入力切換スイッチ４４及び入力ライン４７ｆを介しオーディオアンプ４５に出力される。そして、オーディオアンプ４５により、ＵＳＢホストコントローラ４３によってＤＡ変換されたアナログ信号が増幅され、スピーカ側に出力される（ステップＳ２８）。
【００７１】
これに対し、（ステップＳ２６）にてデコード不可能と判断されると、ＵＳＢホストコントローラ４３から切換制御部４９へのデコード不可能である通知が出され、第１信号入力切換スイッチ４２及び第２信号入力切換スイッチ４４が”Ａ”側に切り換えられる（ステップＳ２９）。
【００７２】
また、ＵＳＢホストコントローラ４３からＵＳＢドライバ３２にスイッチ切換データが送出される。ＵＳＢドライバ３２がそのスイッチ切換データを受け取り（ステップＳ３０）、Ｖバス切換スイッチ３７ａを”ａ”側に切り換えると、ＵＳＢ側切換スイッチ３３が”Ａ”側に切り換えられる（ステップＳ３１）。このとき、ＵＳＢドライバ３２により、上述した第２音楽ファイルがデコードされさらにＤＡ変換されたアナログ信号がカップリングコンデンサ３５、オーディオ信号ライン３５ａ、ＵＳＢ側切換スイッチ３３を介してアンプスピーカ４０側に出力される（ステップＳ３２）。
【００７３】
アンプスピーカ４０側では、そのアナログのオーディオ信号が入力信号ライン４７ａ、第１信号入力切換スイッチ４２、オーディオ信号ライン４７ｄに入力され、さらに第２信号入力切換スイッチ４４、コンデンサ４８、及び入力ライン４７ｆを介してオーディオアンプ４５に取り込まれる。そして、オーディオアンプ４５により、アナログ信号が増幅され、スピーカ側に出力される（ステップＳ３３）。
【００７４】
ここで、メモリプレーヤ３０側からアンプスピーカ４０側への上述した第２音楽ファイルのアナログのオーディオ信号の１曲分の出力が終了すると、ＵＳＢドライバ３２からＵＳＢホストコントローラ４３にデータライン４７ｇ，３５ｅを介して終了データが送出される。ＵＳＢホストコントローラ４３がその終了データを受け取ると（ステップＳ３４）、第２音楽ファイルの１曲分の再生終了を判別する。
【００７５】
そして、ステップＳ２４に戻り、切換制御部４９により、第１信号入力切換スイッチ４２及び第２信号入力切換スイッチ４４が”Ｂ”側に切り換えられ、以降上記同様の手順が再生終了（ステップＳ３５）となるまで繰り返される。
【００７６】
このように、実施例３では、Ｖバス切換スイッチ３７ａを介してＵＳＢ側切換スイッチ３３を切り換えることができるとともに、ＵＳＢドライバ３２とＵＳＢホストコントローラ４３との間で、データライン３５ｅ，４７ｇを介してアナログ信号の出力終了を示す終了データと、スイッチ切換を示すスイッチ切換データとがやり取りされるようにしたので、上述したＶバス切換スイッチ５０が無くても第１音楽ファイル又は第２音楽ファイルの信号出入力の切り換えを容易に行うことができる。
【００７７】
（実施例４）
図６は、図４のプレーヤシステムの構成を変えた場合の実施例４を説明するための図である。実施例４では、図６に示すように、Ｖバス切換スイッチ３７ａが省かれ、ＵＳＢ側切換スイッチ３３がライン３６ｃを介しＵＳＢドライバ３２によって切り換えられるようになっている。
【００７８】
このような構成では、ＵＳＢドライバ３２がライン３６ｂを介してＶバス供給を検知すると、ＵＳＢ側切換スイッチ３３を”Ｂ”側に切り換える。また、ＵＳＢドライバ３２がデータライン３５ｅ，４７ｇを介してＵＳＢホストコントローラ４３から上述したスイッチ切換データを受け取ると、ＵＳＢ側切換スイッチ３３を”Ａ”側に切り換える。
【００７９】
また、ＵＳＢドライバ３２がデータライン３５ｅ，４７ｇを介してＵＳＢホストコントローラ４３にアナログ信号の出力終了を示す終了データを送出すると、ＵＳＢホストコントローラ４３からの通知を受けた切換制御部４９により、第１信号入力切換スイッチ４２及び第２信号入力切換スイッチ４４が”Ｂ”側に切り換えられる。
【００８０】
このように、実施例４では、ＵＳＢドライバ３２とＵＳＢホストコントローラ４３との間で、データライン３５ｅ，４７ｇを介してアナログ信号の出力終了を示す終了データと、スイッチ切換を示すスイッチ切換データとがやり取りされるようにしたので、上述したＶバス切換スイッチ３７ａが無くても第１音楽ファイル又は第２音楽ファイルの信号出入力の切り換えを容易に行うことができる。
【産業上の利用可能性】
【００８１】
ＵＳＢメモリオーディオプレーヤを用いたプレーヤシステムに限らず、ＳＤメモリ対応のモバイルオーディオプレーヤを用いたプレーヤシステム等にも適用可能である。
【図面の簡単な説明】
【００８２】
【図１】本発明のプレーヤシステムの実施例１を説明するための図である。
【図２】図１のプレーヤシステムにおける信号出入力切換方法を説明するためのフローチャートである。
【図３】図１のプレーヤシステムの構成を変えた場合の実施例２を説明するための図である。
【図４】図１のプレーヤシステムの構成を変えた場合の実施例３を説明するための図である。
【図５】図４のプレーヤシステムにおける信号出入力切換方法を説明するためのフローチャートである。
【図６】図４のプレーヤシステムの構成を変えた場合の実施例４を説明するための図である。
【図７】従来のプレーヤシステムの一例を示す図である。
【符号の説明】
【００８３】
１０  メモリプレーヤ
１１  メモリ
１２  ＵＳＢドライバ
１３  ＵＳＢコネクタ
１４  Ｖバス
２０  アンプスピーカ
２１  ＵＳＢコネクタ
２２  ＵＳＢホストコントローラ
２３  オーディオアンプ
２４  Ｖバス
２５  データライン
３０  メモリプレーヤ
３１  メモリ（記憶手段）
３２  ＵＳＢドライバ（音声ファイル変換手段）
３３  ＵＳＢ側切換スイッチ（信号出力切換手段）
３４  ＵＳＢコネクタ
３５ａ  オーディオ信号ライン
３５ｂ  オーディオ信号ライン
３５ｃ  出力ライン
３５ｅ  データライン
３６  Ｖバス
３７  信号出力終了伝達スイッチ
３７ａ  Ｖバス切換スイッチ
４０  アンプスピーカ
４１  ＵＳＢコネクタ
４２  第１信号入力切換スイッチ（第１切換手段）
４３  ＵＳＢホストコントローラ（信号変換手段）
４４  第２信号入力切換スイッチ（第２切換手段）
４５  オーディオアンプ（増幅手段）
４６  Ｖバス（供給ライン）
４７ａ  入力信号ライン
４７ｃ  オーディオ信号ライン
４７ｄ  オーディオ信号ライン
４７ｅ  オーディオ信号ライン
４７ｆ  入力ライン
４７ｇ  データライン
４９  切換制御部（切換制御手段）
５０  Ｖバス切換スイッチ
【図１】
0004669809.tif 000002
【図２】
0004669809.tif 000003
【図３】
0004669809.tif 000004
【図４】
0004669809.tif 000005
【図５】
0004669809.tif 000006
【図６】
0004669809.tif 000007
【図７】
0004669809.tif 000008